(57)【特許請求の範囲】
【請求項１】
本体に形成される中央が断面略Ｖ字形状に凹んだ基部から立上がる爪体により無色宝石を固定する装身具において、当該無色宝石の下方には当該無色宝石と一定空間を持たせつつ、当該無色宝石を側面方向から見た場合に当該無色宝石の下部面に対し、無色の反射宝石の上部中央面がほぼ平行となるように、当該無色の反射宝石を前記基部の中央に直列して形成された２つの通孔に取り付けたことを特徴とする装身具。
【請求項２】
本体に形成される中央が凹んだ略花弁形状の基部から立上がる爪体により無色宝石を固定する装身具において、当該無色宝石の下方には当該無色宝石と一定空間を持たせつつ、当該無色宝石を側面方向から見た場合に当該無色宝石の下部面に対し、無色の反射宝石の上部中央面がほぼ平行となるように、当該無色の反射宝石を前記基部の周囲に多数の通孔を形成して取り付けることで、当該無色宝石の下部周囲を取り巻くように配設することを特徴とする装身具。
【請求項３】
前記装身具が、指輪、ペンダント、ブローチ、ピアス、イアリング、ネックレスからなる一群の装身具のうちいずれかであることを特徴とする請求項１から２に記載の装身具。
【発明の詳細な説明】
【技術分野】
【０００１】
本発明は、ダイアモンド等の宝石を取り付けた指輪等の装身具において、その宝石の下方に小さなダイアモンド等からなる反射宝石を取り付けた装身具に関する。
【背景技術】
【０００２】
図６に示すように、従来の装身具、例えば、カットされた宝石１３を中央に取り付ける指輪１００においては、指輪本体１０１に形成された基部１０４の上方に複数本の爪体１０５を立上げ、その内側を切削して溝部１０６を設け、爪体１０５を寄せるように折り曲げて宝石１３の側部であるガードル１７を溝部１０６に挟んで固定する手法が広く採用されている。
【０００３】
その場合に、宝石の下部であるパビリオン２２が略角錐形状で、その先端は突状であること、また、金、プラチナ、シルバー等の合金を素材とした装身具はロストワックスキャスティングで製造されるので、加工の容易性を考慮することより、基部１０４の中央には通孔１０８が形成されるのが一般的である。
【０００４】
ここで、ダイアモンド等の宝石１３が光輝く理由は、主として上部であるテーブル１８から入射した光がパビリオン２２の内面で反射されて再度外部に射出されるからであるが、せっかくテーブル１８より入射した光α、Βであっても、屈折率及び入射角度との関係よりパビリオン２２から射出してしまう光Βが多量に存在する。その場合に、従来の指輪１００によれば射出した光を拾うことは出来ず、かなりの光量が通孔１０８を通じて指輪１００の外に出てしまうので、宝石１３の輝きもある程度に限定されていた。
【０００５】
一方、図７に示すように、基材に設けた立上り枠の所定位置に飾体を設け、この飾体を基材に対して一定の空間を持たせた位置に配設し、当該飾体に多方面からの入射光や反射光を照射するようにしたことを特徴とするピアス等の装身具が開発されている（特願平８−２１９０１）。
【０００６】
装身具１２０は、基材１２１の表面を鏡面状にして自然光の反射を飾体１２４（ここでは宝石を意味している。）の下面１２４ａから入射させたり飾体１２４に上方から入射した屈折光を下方の空間１２５から放射させたり、或いは基材１２１の表面を梨地状など粗地面にして空間１２５より入射した光を乱反射させようとするものである。
【０００７】
しかし、このような装身具１２０においては、単に基材１２１からの反射光や空間１２５より入射した光を乱反射させるものに過ぎず、生じる光はどうしても基材１２１の色合いによる影響を受けてしまう。したがって、乱反射した光の一部が再度飾体１２４を透過して外部に放出し、飾体１２４の輝きが若干増すことはあっても、本来飾体１２４が持つ色合いとは異なる不自然な輝きとなることが多く、極端な場合には基材１２１の色合いを帯びてしまう。また、乱反射を生じさせる基材１２１は鏡面状でなければならないが、基材１２１が錆びたり汚れたりしても、立上り枠が取り付けられているその構造上、均一な研磨が容易でなく、長期間の使用によってはその技術的効果が激減するという問題点も生じていた。
【発明の開示】
【発明が解決しようとする課題】
【０００８】
本発明は、ダイアモンド等の宝石を取り付けた指輪等の装身具において、宝石の下方に小さな反射宝石を取り付けることで、自然な色合いをもって宝石の輝きを増大させることができる装身具を提供することを目的とする。また、長期間の使用によっても、宝石の輝きを増大させるという技術的効果を維持することができる装身具を提供することを目的とする。
【課題を解決するための手段】
【０００９】
上記課題を解決するために請求項１に記載された発明は、本体に形成される中央が断面略Ｖ字形状に凹んだ基部から立上がる爪体により無色宝石を固定する装身具において、当該無色宝石の下方には当該無色宝石と一定空間を持たせつつ、当該無色宝石を側面方向から見た場合に当該無色宝石の下部面に対し、無色の反射宝石の上部中央面がほぼ平行となるように、当該無色の反射宝石を前記基部の中央に直列して形成された２つの通孔に取り付けた装身具であることを特徴とする。  また、請求項２に記載された発明は、本体に形成される中央が凹んだ略花弁形状の基部から立上がる爪体により無色宝石を固定する装身具において、当該無色宝石の下方には当該無色宝石と一定空間を持たせつつ、当該無色宝石を側面方向から見た場合に当該無色宝石の下部面に対し、無色の反射宝石の上部中央面がほぼ平行となるように、当該無色の反射宝石を前記基部の周囲に多数の通孔を形成して取り付けることで、前記無色宝石の下部周囲を取り巻くように配設する装身具であることを特徴とする。
【００１０】
また、本発明においては、前記装身具が、指輪、ペンダント、ブローチ、ピアス、イアリング、ネックレスからなる一群の装身具のうちいずれかであることが好ましい。
【発明の効果】
【００１１】
本発明に係る装身具によれば、指輪等に取り付けられた宝石が輝きを自然な色合いをもって増大することができる。また、長期間の使用によっても、増大した宝石の輝きが失せ難いという利点を有する。さらに、有色透明宝石の色相が薄い場合に、輝きを増大しつつ自然な濃い色合いとし、見た目でのグレードを高めることができる。
【発明を実施するための最良の形態】
【００１２】
以下、本発明に係る装身具の好ましい実施例を図面により詳細に説明する。図１において、（ａ）は１の反射宝石を使用した第１指輪本体を示す正面図、（ｂ）は宝石を取り付けた第１指輪を示す正面図、（ｃ）は宝石及び反射宝石における光の道筋を示す説明図である。
【００１３】
第１指輪１０における第１指輪本体１１は、例えば、金、プラチナ、銀等の貴金属を素材とするものであるが、これに限定されることなく、合成樹脂等を使用することもできる。また、宝石１２及び反射宝石１３は、例えば、ダイアモンド、合成ダイアモンド、模造ダイアモンド等の無色透明宝石である。
【００１４】
第１指輪本体１１の上部中央には基部１４が形成され、基部１４の周部には柱状に立ち上がる爪体１５が４本形成されており、これは、一般には立て爪と呼ばれるものである。この爪体１５の数は、外部から光を取り込むという意味において、４本程度が望ましいが、もちろんの最も一般的な本数である６本や、より少ない本数で構成することもできる。なお、爪体１５の形状には特に限定がなく、断面円形でも、三角形や四角形でもかまわない。
【００１５】
爪体１５の内側には切削されて溝部１６が形成され、爪体１５を寄せるように折り曲げて宝石１３の周部であるガードル１７を溝部１６に挟んで固定する手法は従来の指輪同様で、いわゆる立て爪と呼ばれている。
【００１６】
基部１４の中央には通孔が形成され（図示せず。）、通孔には、例えば、中粒のダイアモンド、合成ダイアモンド、模造ダイアモンド等の無色宝石（一般にはラージメレーと呼ばれる。）からなる反射宝石１２が取り付けられている。反射宝石１２の取り付け方法に特に限定はないが、例えば、宝石１３との位置関係で考えると、宝石１３の上部中央面であるテーブル１８と反射宝石１２のテーブル１９により描かれる直線がおよそ平行となるように、一般に彫り留めと呼ばれる手法で基部１４に取り付けることができる。また、反射宝石１２の大きさにも限定はないが、例えば、宝石１２の直径に対し、反射宝石１２の直径が３分の１から５分の１程度のものを使用することができる。
【００１７】
宝石１２、特にダイアモンドに入射した光αは、ダイアモンドの屈折率の高さゆえにそのほとんどがパビリオン２２で反射されて再度外部に放出されるが、入射角度によっては、光Βのようにパビリオン２２から下方に透過してしまうものもある。しかしながら、第１指輪１０においては、下方に透過した光Βであっても、一定の空間を持たせつつ基部１４に取り付けられた反射宝石１２に入射することにより、反射宝石１２内のパビリオン２３で反射され、再びは宝石１３のパビリオン２２より入射し、宝石１３のテーブル１８や上部側面であるクラウン２１より外部に放出されるので、宝石１３の輝きを著しく増すことができる。
【００１８】
また、宝石１３が輝きを増した場合に、再度外部に放出される光Βは反射宝石１２により反射されたものであるから、同種の宝石を使用することで自然な色あいを保つことができる。さらに、長期間に使用により反射宝石１２が錆びるということはなく、汚れた場合も一般には第１指輪本体１１を洗浄さえすれば、同時に反射宝石１７も洗浄されると考えられるから、宝石１３の輝きを増すという技術的効果を半永久的に発揮できる。
【００１９】
図２において、（ａ）は２の反射宝石を使用した第２指輪本体を示す正面図、（ｂ）は宝石を取り付けた第２指輪を示す正面図、（ｃ）は宝石及び反射宝石における光の道筋を示す説明図である。
【００２０】
第２指輪３０における第２指輪本体３１の素材は、第１指輪本体１１と同様であり、例えば、金、プラチナ、銀等の貴金属を素材とするものであるが、これに限定されることなく、合成樹脂等を使用することもできる。また、宝石１３及び反射宝石３２は、例えば、ダイアモンド、合成ダイアモンド、模造ダイアモンド等の無色宝石であり、この点も第１指輪１０と同様である。
【００２１】
第２指輪本体３１の上部中央には基部３４が形成され、基部３４の周部には柱状に立ち上がる爪体３５が４本形成され、また、爪体３５の内側には溝部３６が形成される点も第１指輪本体１１と同様である。
【００２２】
第２指輪本体３１の基部３４の中央は断面略Ｖ字形状に凹んで、その部分に２つの通孔が直列して形成され（図示せず。）、通孔には、反射宝石３２ａ、３２ｂが取り付けられている。第２指輪３０における反射宝石３２ａ、３２ｂは、例えば、小粒のダイアモンド、合成ダイアモンド、模造ダイアモンド等の無色透明宝石（一般にはメレーと呼ばれる。）からなるものである。反射宝石３２ａ、３２ｂの大きさにも限定はないが、例えば、宝石１３の直径に対し、反射宝石３２ａ、３２ｂの直径を１０分の１から１５分の１程度とすることができる。
【００２３】
また、第２指輪３０における反射宝石３２ａ、３２ｂは、宝石１３の下部面であるパビリオン２２により描かれる直線に対し反射宝石３２ａ、３２ｂの上部中央面であるテーブル３９により描かれる直線がほぼ平行となるように、反射宝石３２ａ、３２ｂが傾斜しており、この点が第１指輪１０と異なる。なお、反射宝石３２ａ、３２ｂの取り付け手法に特に限定はなく、例えば、彫り留めによる点は第１指輪１０と同様である。
【００２４】
第２指輪３０においては、宝石１３の下方に透過した光Βを２の反射宝石３２ａ、３２ｂにより広範囲に取得することができ、反射宝石３２ａ、３２ｂのパビリオン４３において反射させ、宝石１３に再度入射することができる。したがって、宝石１３の輝きを自然な色合いを保ちつつより強く増すことができる。
【００２５】
また、第２指輪３０においては、宝石１３の下部であるパビリオン２２が略円錐形状であって、反射宝石３２ａ、３２ｂを傾斜して取り付けられることにより、第２指輪本体３１の全体的な高さや爪部３５の長さを短く抑えることが可能となり、見た目も従来の装身具指輪と変わりがなく、デザイン的にも自由で極めて美しいものである。
【００２６】
図３において、（ａ）は多数の反射宝石を使用した第３指輪本体を示す正面図、（ｂ）は宝石を取り付けた第３指輪を示す正面図、（ｃ）は宝石及び反射宝石における光の道筋を
示す正面図である。
【００２７】
第３指輪５０における第３指輪本体５１の素材は、第１指輪本体１１と同様であり、例えば、金、プラチナ、銀等の貴金属を素材とするものであるが、これに限定されることなく、合成樹脂等を使用することもできる。また、宝石１３及び反射宝石５２は、例えば、ダイアモンド、合成ダイアモンド、模造ダイアモンド等の無色透明宝石である点も第１指輪１０と同様である。
【００２８】
第３指輪本体５１の上部中央には、基部５４が形成され、基部５４の周部には柱状に立ち上がる爪体５５が４本形成され、また、爪体５５の内側には溝部５６が形成される、この点も第１指輪本体１１と同様である。
【００２９】
第３指輪本体３１の基部５４は、例えば、中央が凹んだ略花弁形状であり、基部５４の周囲には多数の通孔が形成され（図示せず。）、それぞれの通孔には、反射宝石５２が取り付けられる。
【００３０】
第３指輪５０におけるそれぞれの反射宝石５２は、宝石１３をそれぞれの側面方向から見た場合には、宝石１３の下部面であるパビリオン２２により描かれる直線に対し、反射宝石５２の上部中央面であるテーブル５９により描かれる直線がほぼ平行となるように、反射宝石５２は傾斜しており、この点は第２指輪３０と略同様である。なお、反射宝石５２の取り付け手法に特に限定はなく、例えば、彫り留めによる点は第１指輪１０と同様である。
【００３１】
第３指輪５０においては、宝石１３の下方に透過した光Βを周囲に多数の反射宝石５２により漏れなく取得することができ、反射宝石５２において反射させ、宝石１３に再度入射することができる。したがって、宝石１３の輝きを自然な色合いを保ちつつさらに強く増すことができる。
【００３２】
図４は、本発明に係るペンダントの好ましい実施例を示す斜視図である。
【００３３】
第１ペンダント７０におけるペンダント本体７１の素材、宝石１３及び反射宝石７２の素材は、第１指輪１０と同様である。
【００３４】
第１ペンダント本体７１には基部７４が形成され、基部７４の周部には柱状に立ち上がる爪体７５が４本形成され、爪体７５に形成された溝部（図示せず。）により宝石１３が固定される点も第１指輪本体１１と同様である。
【００３５】
第１ペンダント本体７１の基部７４は、中央が凹んだ略花弁形状を形成し、花弁には多数の通孔が円周状に形成され、それぞれの通孔には、反射宝石７２が取り付けられる点等、第３指輪本体５１と同様である。
【００３６】
第１ペンダント７０におけるそれぞれの反射宝石７２は、宝石１３をそれぞれの側面方向から見た場合には、宝石１３の下部面であるパビリオンに対し反射宝石７２の上部中央面であるテーブルがほぼ平行となるように、反射宝石７２は基部７４に対し傾斜しており、この点は第３指輪５０と同様である。なお、反射宝石７２の取り付け手法に特に限定はなく、例えば、彫り留めによる点は第１指輪１０と同様である。
【００３７】
第１ペンダント７０においては、宝石７２の下方に透過した光Βを周囲に多数の反射宝石７７により漏れなく取得することができ、反射宝石７２において反射させ、宝石１３に再度入射することができる。したがって、宝石１３の輝きを自然な色合いを保ちつつさらに強く増すことができる。
【００３８】
また、そもそも第１ペンダント７０は、ネックレスチェーン７８により首からぶら下げて着用するものであるから、爪体７５の隙間から外光が取り込まれ易く、反射宝石７２で反射し、宝石１３にそのパビリオンから入射することもできるため、宝石７２の輝きを自然な色合いを保ちつつ極めて強く増すことができる。
【００３９】
図５は、本発明に係る第４指輪を示す斜視図である。
【００４０】
第４指輪９０における第４指輪本体９１の素材は、第１指輪本体１１と同様であり、例えば、金、プラチナ、銀等の貴金属を素材とするものであるが、これに限定されることなく、合成樹脂等を使用することもできる。また、宝石９３及び反射宝石９２は、例えば、ルビー等の有色透明宝石が使用されている。
【００４１】
第４指輪本体９１の構造は、第３指輪本体５１とほぼ同様であるので、ここでは説明を省略する。
【００４２】
第４指輪９０においては、宝石９３が、薄い赤色のルビーであるとすると、反射宝石９２は、濃い赤色の小粒ルビーを使用することが好ましい。なお、宝石９３及び反射宝石９２の取り付けは、第３指輪５０と同様である。
【００４３】
第４指輪９０では、宝石９３の下方に透過した光Βを円周状に取り付けられた多数の反射宝石９２により漏れなく取得することができるばかりか、反射宝石９２において反射した光は、より濃い赤色を帯びて、宝石９３に再度入射する。この場合、宝石９２の輝きを自然な色合いを保ちつつ増すことができるばかりか、薄いルビーの色合いを深めることができる。その結果、宝石９２をより高いグレードのものに見せることも可能となる。
【００４４】
以上、前記の実施例では本発明が有利に適用される場合として、反射宝石を所定の条件に基づいて取り付ける方法を説明したが、少なくても宝石のパビリオンの下方あるいは近傍に反射宝石が取り付けられた装身具であれば、宝石の輝きを高めることが可能であるから、例えば、基部に極めて小さな反射宝石を全体的に散りばめることもできる。その他、本発明の技術的効果を奏する装身具に異なるカット形状の宝石を取り付ける等、デザインだけの違いであれば、本発明の範疇に含まれるのは当然である。
【図面の簡単な説明】
【００４５】
【図１】（ａ）は１の反射宝石を使用した第１指輪本体を示す正面図、（ｂ）は宝石を取り付けた第１指輪を示す正面図、（ｃ）は宝石及び反射宝石における光の道筋を示す説明図である。
【図２】（ａ）は２の反射宝石を使用した第２指輪本体を示す正面図、（ｂ）は宝石を取り付けた第２指輪を示す正面図、（ｃ）は宝石及び反射宝石における光の道筋を示す説明図である。
【図３】（ａ）は多数の反射宝石を使用した第３指輪本体を示す正面図、（ｂ）は宝石を取り付けた第３指輪を示す正面図、（ｃ）は宝石及び反射宝石における光の道筋を示す正面図である。
【図４】本発明に係るペンダントの好ましい実施例を示す斜視図である。
【図５】本発明に係る第４指輪を示す斜視図である。
【図６】（ａ）は従来の指輪本体を示す正面図、（ｂ）は従来の宝石における光の道筋を示す説明図である。
【図７】飾体に入射光、反射光を照射するようにした従来の装身具を示す斜視図である。
【符号の説明】
【００４６】
１０  第１指輪
１１  第１指輪本体
１２  反射宝石
１３  宝石
１４  基部
１５  爪体
１６  溝部
１７  ガードル
１８  テーブル
１９  テーブル
２１  クラウン
２２  パビリオン
２３  パビリオン
３０  第２指輪
３１  第２指輪本体
３２  反射宝石
３４  基部
３５  爪体
３６  溝部
３９  テーブル
４３  パビリオン
５０  第３指輪
５１  第３指輪本体
５２  反射宝石
５４  基部
５５  爪体
５６  溝部
５９  テーブル
７０  第１ペンダント
７１  第１ペンダント本体
７２  反射宝石
７４  基部
７５  爪体
７８  ネックレスチェーン
９０  第４指輪
９１  第４指輪本体
９２  反射宝石
９３  宝石
１００  指輪
１０１  指輪本体
１０４  基部
１０５  爪体
１０６  溝部
１０８  通孔
１２０  装身具
１２１  基材
１２４  飾体
１２４a  下面
１２５  空間
【図１】
0004585577.tif 000002
【図２】
0004585577.tif 000003
【図３】
0004585577.tif 000004
【図４】
0004585577.tif 000005
【図５】
0004585577.tif 000006
【図６】
0004585577.tif 000007
【図７】
0004585577.tif 000008